(57)【要約】【課題】キャップと共にノズルが供回りすることを防止できるノズル付き容器を提供する。【解決手段】第１の爪部５０の周方向における方向Ｒ２側の端部は、受容部２０の周方向における方向Ｒ２側の内壁部２０ａと係合する係合構造５０ａを有する。従って、キャップ４の取り外し時に当該キャップ４を周方向における方向Ｒ２側へ回転させたとき、ノズル３がキャップ４と共に方向Ｒ２側へ移動しようとする場合であっても、第１の爪部５０の周方向における方向Ｒ２側の端部の係合構造５０ａが、受容部２０の周方向における方向Ｒ２側の内壁部２０ａと係合する。これにより、ノズル３の回転が停止し、キャップ４のみが他方側へ移動する。【選択図】図１１
2017214105.tif 000002
【特許請求の範囲】
【請求項１】
流動体を収容する容器本体部と、
前記容器本体部の吐出部に対して周方向における一方側へねじ込まれることで前記吐出部に取り付けられるノズルと、を備えるノズル付き容器であって、
前記ノズルは、軸線方向における前記容器本体部側へ突出する第１の爪部を備え、
前記容器本体部には、前記第１の爪部を受容する受容部が形成され、
前記第１の爪部は、前記ノズルの前記軸線方向に弾性移動可能であり、
前記第１の爪部の前記周方向における他方側の端部は、前記受容部の前記周方向における前記他方側の内壁部と係合する係合構造を有する、ノズル付き容器。
【請求項２】
前記ノズルは、前記軸線方向における前記容器本体部側において、前記周方向に延びて前記第１の爪部を支持する支持部を備え、
前記支持部の前記周方向における一端部は前記ノズルに固定される固定端として構成され、他端部は前記ノズルから離間する自由端として構成され、
前記第１の爪部は前記支持部の自由端側に形成されている、請求項１に記載のノズル付き容器。
【請求項３】
前記支持部の前記自由端は、前記周方向における前記一方側に配置され、前記支持部の前記固定端は、前記周方向における前記他方側に配置される、請求項２に記載のノズル付き容器。
【請求項４】
前記ノズルに対して前記周方向における前記一方側へねじ込まれることで、前記ノズルに取り付けられるキャップを更に備え、
前記キャップは、軸線方向における前記容器本体側に突出する第２の爪部を備え、
前記第２の爪部は、前記受容部の前記周方向における前記一方側の内壁部と干渉することで、前記キャップの回転を規制する、請求項１〜３の何れか一項に記載のノズル付き容器。
【請求項５】
前記キャップが前記ノズルに対して取付完了状態にある場合、前記ノズルの前記第１の爪部と前記キャップの前記第２の爪部とは、径方向において互いに異なる位置に配置される、請求項４に記載のノズル付き容器。
【請求項６】
流動体を収容する容器本体部と、
前記容器本体部の吐出部に対して周方向における一方側へねじ込まれることで前記吐出部に取り付けられるノズルと、
前記ノズルに対して前記周方向における前記一方側へねじ込むことで、前記ノズルに取り付けられるキャップと、を備えるノズル付き容器であって、
前記ノズルは、軸線方向における前記容器本体部側へ突出する第１の爪部を備え、
前記キャップは、軸線方向における前記容器本体部側へ突出する第２の爪部を備え、
前記容器本体部には、前記第１の爪部及び前記第２の爪部を受容する受容部が形成される、ノズル付き容器。
【発明の詳細な説明】
【技術分野】
【０００１】
本発明は、流動体を供給するノズル付き容器に関する。
【背景技術】
【０００２】
流動体を供給するノズル付き容器として、特許文献１に示すものが知られている。このノズル付き容器は、流動体を収容する容器の吐出部にノズルをねじ込むことで、ノズルが取り付けられる。
【先行技術文献】
【特許文献】
【０００３】
【特許文献１】特開２０１３−５６７１１号公報
【発明の概要】
【発明が解決しようとする課題】
【０００４】
ここで、上述のノズル付き容器を用いる場合、未使用時にノズルを保護するためにキャップを取り付ける場合がある。しかしながら、キャップを取り付けたままで長時間保管すると、ノズルとキャップが固定されてしまい、取り外し時にキャップと共にノズルが供回りする場合がある。従って、キャップと共にノズルが供回りすることを防止できるノズル付き容器が求められていた。
【課題を解決するための手段】
【０００５】
本発明の一形態に係るノズル付き容器は、流動体を収容する容器本体部と、容器本体部の吐出部に対して周方向における一方側へねじ込まれることで吐出部に取り付けられるノズルと、を備えるノズル付き容器であって、ノズルは、軸線方向における容器本体部側へ突出する第１の爪部を備え、容器本体部には、第１の爪部を受容する受容部が形成され、第１の爪部は、ノズルの軸線方向に弾性移動可能であり、第１の爪部の周方向における他方側の端部は、受容部の周方向における他方側の内壁部と係合する係合構造を有する。
【０００６】
このような形態によれば、ノズルは、軸線方向における容器本体部側へ突出する第１の爪部を備え、容器本体部には、第１の爪部を受容する受容部が形成されている。ここで、第１の爪部は、ノズルの軸線方向に弾性移動可能であるため、周方向における一方側へノズルを吐出部にねじ込んでいるときに第１の爪部が容器本体部と接触しても、第１の爪部が弾性移動することにより、容器本体部と干渉することなく、ノズルのねじ込みが可能となる。そして、第１の爪部が受容部の位置まで到達すると、第１の爪部が元の状態に戻り、受容部に受容される。このとき、第１の爪部の周方向における他方側の端部は、受容部の周方向における他方側の内壁部と係合する係合構造を有する。従って、キャップの取り外し時に当該キャップを周方向における他方側へ回転させたとき、ノズルがキャップと共に他方側へ移動しようとする場合であっても、第１の爪部の周方向における他方側の端部の係合構造が、受容部の周方向における他方側の内壁部と係合する。これにより、ノズルの回転が停止し、キャップのみが他方側へ移動する。以上によって、キャップと共にノズルが供回りすることを防止できる。
【０００７】
別の形態に係るノズル付き容器において、ノズルは、軸線方向における容器本体部側において、周方向に延びて第１の爪部を支持する支持部を備え、支持部の周方向における一端部はノズルに固定される固定端として構成され、他端部はノズルから離間する自由端として構成され、第１の爪部は支持部の自由端側に形成されていてよい。
【０００８】
別の形態に係るノズル付き容器において、支持部の自由端は、周方向における一方側に配置され、支持部の固定端は、周方向における他方側に配置されてよい。
【０００９】
別の形態に係るノズル付き容器において、ノズルに対して周方向における一方側へねじ込まれることで、ノズルに取り付けられるキャップを更に備え、キャップは、軸線方向における容器本体側に突出する第２の爪部を備え、第２の爪部は、受容部の周方向における一方側の内壁部と干渉することで、キャップの回転を規制してよい。
【００１０】
別の形態に係るノズル付き容器において、キャップがノズルに対して取付完了状態にある場合、ノズルの第１の爪部とキャップの第２の爪部とは、径方向において互いに異なる位置に配置されてよい。
【００１１】
別の形態に係るノズル付き容器は、流動体を収容する容器本体部と、容器本体部の吐出部に対して周方向における一方側へねじ込まれることで吐出部に取り付けられるノズルと、ノズルに対して周方向における一方側へねじ込むことで、ノズルに取り付けられるキャップと、を備えるノズル付き容器であって、ノズルは、軸線方向における容器本体部側へ突出する第１の爪部を備え、キャップは、軸線方向における容器本体部側へ突出する第２の爪部を備え、容器本体部には、第１の爪部及び第２の爪部を受容する受容部が形成される。
【発明の効果】
【００１２】
本発明によれば、キャップと共にノズルが供回りすることを防止できる。
【図面の簡単な説明】
【００１３】
【図１】図１は、実施形態に係るノズル付き容器の斜視図である。
【図２】図２は、図１に示すノズル付き容器からキャップを外した斜視図である。
【図３】図３は、図１に示すノズル付き容器からキャップ及びノズルを外した斜視図である。
【図４】図４は、図３に示す容器本体部を先端側から見た図である。
【図５】図５は、図１に示すノズル付き容器の分解斜視図である。
【図６】図６は、ノズルにキャップを取り付けた状態を示す斜視図である。
【図７】図７は、図６に示すノズル及びキャップを容器本体部側から見た図である。
【図８】図８は、図７のＶＩＩＩ−ＶＩＩＩ線に沿った断面図である。
【図９】図９は、ノズルの斜視図である。
【図１０】図１０は、キャップの斜視図である。
【図１１】図１１は、ノズル付き容器の動作を説明するための図である。
【発明を実施するための形態】
【００１４】
以下、添付図面を参照しながら本発明の実施形態を詳細に説明する。なお、図面の説明において、同一又は同等の要素には同一の符号を付し、重複する説明を省略する。
【００１５】
まず、図１〜図５を参照して、本実施形態に係るノズル付き容器の構成について説明する。図１〜図５に示すように、ノズル３は、粘性を有する流動体を対象物に塗布するためのノズル付き容器１００に適用される。本実施形態では、ノズル付き容器１００が収容する流動体として、瞬間接着剤を例示する。ただし、容器１００から供給される流動体は特に限定されず、シール材、調味料（マヨネーズ、ケチャップ、蜂蜜等）等であってもよい。ノズル付き容器１００は、容器本体部２と、ノズル３と、キャップ４と、を備える。なお、ノズル付き容器１００に対しては中心軸線ＣＬが設定される。以降の説明においては、中心軸線ＣＬが延びる方向を「軸線方向」と称する。ノズル３が設けられる側を「前端側」または「先端側」と称し、容器本体部２が設けられる側を「後端側」と称する場合がある。
【００１６】
容器本体部２は、流動体を収容する部分である。また、使用者がノズル付き容器１００を用いて流動体を塗布する場合は、容器本体部２を保持する。容器本体部２は、流動体が充填されたチューブ１１と、チューブ１１を覆うカバー１２と、を備える。チューブ１１は、流動体が充填された本体部１３と、本体部１３内の流動体を吐き出すための吐出部１４と、を備える。吐出部１４は、本体部１３から先端側に突出する筒状の部分である。吐出部１４の外周面には、ノズル３と締結されるネジ部１４ａが形成されている。なお、使用前の状態においては、吐出部１４の先端部１４ｂは封止されている。使用時においては、吐出部１４の先端部１４ｂは破断し、内部の流動体を吐出可能な状態となる。
【００１７】
カバー１２は、チューブ１１を覆う略円筒状の部材である。カバー１２は、チューブ１１を中心軸線ＣＬ周りに覆う周壁部１６と、周壁部１６の後端側を塞ぐ後壁部１７と、周壁部１６の前端側を塞ぐ前壁部１８と、を備える。前壁部１８は、チューブ１１の吐出部１４を外部へ突出させるための貫通孔が形成される。なお、カバー１２は、チューブ１１を挟み込むように、カバー部材１２Ａ及びカバー部材１２Ｂに分割されている。
【００１８】
前壁部１８には、中心軸線ＣＬを中心とした円弧状の溝部によって構成される受容部２０が形成される。受容部２０は、ノズル３の第１の爪部５０及びキャップ４の第２の爪部６０を受容する部分である。受容部２０は、径方向へ所定の幅にて、吐出部１４の周囲を囲むように、所定の長さで延びている。受容部２０は、周方向に互いに対向する内壁部２０ａ，２０ｂを有している。本実施形態では、受容部２０は、４つ形成されているが、特に数量は限定されない。なお、受容部２０の更に詳細な形状は、ノズル３及びキャップ４の爪部の説明と合わせて後述する。
【００１９】
次に、図６〜図１０を参照して、ノズル３及びキャップ４の構成について説明する。ノズル３は、容器本体部２の吐出部１４に対して周方向における一方側（ノズル４の先端側から見て時計回りの方向であり、図では方向Ｒ１側）へねじ込まれることで吐出部１４に取り付けられる部材である。また、ノズル３は、吐出部１４から供給された流動体を所定量に規制した状態で先端側から流出させる部材である。ノズル３は、軸線方向における先端側から順に、管状部３Ａ、土台部３Ｂ、フランジ部３Ｃを備えている。
【００２０】
土台部３Ｂは、軸線方向における先端側へ細くなる円錐台状の形状を有している。土台部３Ｂは、吐出部１４に取り付けられる部分であり、内周面に吐出部１４のネジ部１４ａと締結されるネジ部３１が形成されている。土台部３Ｂの先端側の端面３Ｂａの中央位置には、中心軸線ＣＬに沿って延びる管状部３Ａが形成されている。管状部３Ａの内部には流動体を通過させるための流路部３２が形成されている。流路部３２は、管状部３Ａの先端部３３で開口している。当該先端部３３から流動体が外部へ供給される。管状部３Ａの基端側の外周面には、キャップ４と締結されるネジ部３４が形成される。
【００２１】
フランジ部３Ｃは、土台部３Ｂの容器本体部２側の縁部から外周側へ向かって広がる円環状の部分である。ノズル３のフランジ部３Ｃは、軸線方向における容器本体部２側へ突出する第１の爪部５０と、軸線方向における容器本体部２側において、周方向に延びて第１の爪部５０を支持する支持部５１と、を備えている。第１の爪部５０及び支持部５１の組は、ノズル３の周方向に複数形成され数量は限定されないが、本実施形態では、互いに１８０°の角度をなして二組形成されている。
【００２２】
特に、図９に示すように、支持部５１は、中心軸線ＣＬ周りに周方向に延びる円弧状の部材である。支持部５１の周方向における一端部はノズル３に固定される固定端５１ａとして構成され、他端部はノズル３から離間する自由端５１ｂとして構成される。本実施形態では、方向Ｒ１側の端部が自由端５１ｂであり、方向Ｒ１と反対周りの方向Ｒ２側の端部が固定端５１ａである。
【００２３】
具体的には、フランジ部３Ｃの容器本体部２側の端面のうち、外周縁部の一部に円弧状の切欠部５３が形成される。切欠部５３は、周方向における方向Ｒ１側の端面５３ａと、方向Ｒ２側の端面５３ｂと、周方向に延びる周面５３ｃと、フランジ部３Ｃの端面３Ｃａと平行で先端側の位置に配置される底面５３ｄと、を有する。支持部５１の固定端５１ａは切欠部５３の端面５３ｂに固定される。支持部５１の自由端５１ｂは切欠部５３の端面５３ａから周方向に離間する。支持部５１の内周面５１ｃは切欠部５３の周面５３ｃから径方向外側へ離間する。支持部５１の外周面５１ｄはフランジ部３Ｃの外周面３Ｃｂと同一面内に形成される。支持部５１の容器本体部２側の端面５１ｅはフランジ部３Ｃの端面３Ｃａと同一面内に形成される。支持部５１の先端側の端面５１ｆは切欠部５３の底面５３ｄから離間する。なお、支持部５１及び切欠部５３の構成は上述の形態に限定されない。例えば、固定端５１ａと自由端５１ｂの向きは逆でもよい。また、切欠部５３がフランジ部３Ｃを貫通し、底面５３ｄが形成されなくともよい。
【００２４】
第１の爪部５０は支持部５１の自由端５１ｂ側に形成されている。第１の爪部５０は、支持部５１の自由端５１ｂ側における端面５１ｅから軸線方向における容器本体部２側へ突出する。支持部５１の自由端５１ｂは、切欠部５３の各面から離間しており、いずれの面にも支持されていない。従って、支持部５１は、軸線方向に弾性移動可能である。このような構造により、第１の爪部５０は、ノズル３の軸線方向に弾性移動可能となる。
【００２５】
第１の爪部５０の周方向における他方側、すなわち方向Ｒ２側の端部は、受容部２０の周方向における方向Ｒ２側の内壁部２０ａ（図４参照）と係合する係合構造５０ａを有する。係合構造５０ａは、受容部２０の内壁部２０ａと係合できる限りどのような構造であってもよいが、本実施形態では、方向Ｒ２側において軸線方向及び径方向に広がる平面によって構成される。第１の爪部５０の周方向における方向Ｒ１側の端部は、受容部２０の方向Ｒ１側の内壁部２０ｂ（図４参照）に乗り上げることができる乗上構造５０ｂを有している。乗上構造５０ｂは、受容部２０の内壁部２０ｂに乗り上げることができる限りどのような構造であってもよいが、本実施形態では、容器本体部２側へ向かって先細りとなるように軸線方向に対して傾斜する傾斜面によって構成される。なお、第１の爪部５０は乗上構造５０ｂを有していなくともよい。第１の爪部５０の内周面５０ｃは支持部５１の内周面５１ｃと同一面内に配置される。第１の爪部５０の外周面５０ｄは支持部５１の外周面５１ｄと同一面内に配置される。ただし、内周面５０ｃ及び外周面５０ｄの位置や形状は特に限定されない。
【００２６】
図６〜図１０へ戻り、キャップ４は、ノズル３を覆うことで、ノズル３内、及びチューブ１１内で流動体が固化することを防止するための円錐筒状の部材である。キャップ４は、ノズル３に対して周方向における方向Ｒ１側へねじ込まれることで、ノズル３に取り付けられる。キャップ４は、軸線方向における先端側から順に、管状部受容部４Ａ、土台部受容部４Ｂ、フランジ部受容部４Ｃを備えている。キャップ４の各部分は、ノズル３の形状に対応するような形状及び位置に形成されている。管状部受容部４Ａのうち、ノズル３のネジ部３４に対応する位置には、ネジ部４４が形成されている。
【００２７】
フランジ部受容部４Ｃは、ノズル３のフランジ部３Ｃを受容するため、先端側の他の部分に比して拡大された内径を有している。キャップ４のフランジ部受容部４Ｃは、軸線方向における容器本体部２側へ突出する第２の爪部６０と、軸線方向における容器本体部２側において、第２の爪部６０を支持する支持部６１と、を備えている。第２の爪部６０及び支持部６１の組は、キャップ４の周方向に複数形成され数量は限定されないが、本実施形態では、互いに９０°の角度をなして四組形成されている。なお、フランジ部受容部４Ｃの外周面には、外周側へ突出する位置合わせ用の突出部２５（図１及び図７参照）が形成される。一方、容器本体部２の先端側の外周面にも、位置合わせ用の突出部２６（図１及び図４参照）が形成される。使用時は、これらの位置合わせ用の突出部２５，２６を用いて、キャップ４と容器本体部２の位置合わせを行うことができる。
【００２８】
特に、図１０に示すように、支持部６１は、キャップ４のフランジ部受容部４Ｃの内周面４Ｃａから内周側へ突出すると共に、中心軸線ＣＬ周りに周方向に広がる部材である。支持部６１の軸線方向における容器本体部２側の端面６１ａは、キャップ４のフランジ部受容部４Ｃの容器本体部２側の端部４Ｃｂよりも先端側の位置に配置される。支持部６１の内周面６１ｂは、少なくともノズル３のフランジ部３Ｃよりも外周側に配置される。支持部６１の周方向の端面６１ｃ，６１ｄは、周方向に互いに所定の距離離間するように配置される。
【００２９】
第２の爪部６０は支持部６１の端面６１ａから軸線方向における容器本体部２側へ突出する。また、第２の爪部６０は支持部６１の周方向における方向Ｒ２側の端面６１ｄ側に形成されている。第２の爪部６０は弾性移動しないように、支持部６１に固定されている。従って、第２の爪部６０は、受容部２０の周方向における方向Ｒ１側の内壁部２０ｂ（図４参照）と干渉することで、キャップ４の回転を規制する。なお、第２の爪部６０の軸線方向への突出量については、締付時の動作の説明を踏まえて後述する。
【００３０】
第２の爪部６０の周方向における方向Ｒ２側の端部は、受容部２０の周方向における方向Ｒ２側の内壁部２０ａ（図４参照）に乗り上げることができる乗上構造６０ｂを有している。乗上構造６０ｂは、受容部２０の内壁部２０ａに乗り上げることができる限りどのような構造であってもよいが、本実施形態では、容器本体部２側へ向かって先細りとなるように軸線方向に対して傾斜する傾斜面によって構成される。また、第２の爪部６０の周方向における方向Ｒ１側の端部は、受容部２０の周方向における方向Ｒ１側の内壁部２０ｂ（図４参照）と係合する係合構造６０ａを有する。係合構造６０ａは、受容部２０の内壁部２０ｂと係合できる限りどのような構造であってもよいが、本実施形態では、方向Ｒ１側において軸線方向及び径方向に広がる平面によって構成される。なお、第２の爪部６０の内周面６０ｃは支持部６１の内周面６１ｂと同一面内に配置される。第２の爪部６０の外周面６０ｄはフランジ部受容部４Ｃの内周面４Ｃａから内周側へ離間している。ただし、内周面６０ｃ及び外周面６０ｄの位置や形状は特に限定されない。
【００３１】
次に、図６及び図７を参照して、第１の爪部５０と第２の爪部６０の位置関係について説明する。なお、以降の説明においては、キャップ４がノズル３にねじ込まれ、それ以上ねじ込むことができない状態を「取付完了状態」と称する。また、ノズル３が吐出部１４にねじ込まれ、過度な力を付与しない限りそれ以上ねじ込むことができない状態も「取付完了状態」と称する。キャップ４がノズル３に対して取付完了状態にある場合、ノズル３の第１の爪部５０とキャップ４の第２の爪部６０とは、径方向において互いに異なる位置に配置される。本実施形態では、第２の爪部６０が外周側に配置される。また、キャップ４がノズル３に対して取付完了状態にある場合、ノズル３の第１の爪部５０とキャップ４の第２の爪部６０とは、周方向において互いに異なる位置に配置されてもよい。ただし、当該関係は必ずしも成り立っていなくともよい。具体的には、第１の爪部５０が周方向における方向Ｒ２側に配置され、第２の爪部６０が周方向における方向Ｒ１側に配置され、互いに周方向に所定距離離間してよい。なお、取付完了状態は一カ所に明確に決まるものでなくてよく、力の加減によりある程度の変動は許容してよい。
【００３２】
ノズル３が吐出部１４に対して取付完了状態にある場合、第１の爪部５０及び第２の爪部６０は、容器本体部２の受容部２０内に受容された状態となる（図１１（ｃ），（ｄ）参照）。従って、受容部２０の径方向の幅は、第１の爪部５０及び第２の爪部６０を受容可能な位置において、第１の爪部５０及び第２の爪部６０を組み合わせたときの径方向の幅よりも大きく設定されてよい。また、受容部２０の周方向の長さは、第１の爪部５０及び第２の爪部６０を受容可能な位置において、第１の爪部５０及び第２の爪部６０を組み合わせたときの周方向の長さよりも大きく設定されてよい。
【００３３】
次に、本実施形態に係るノズル付き容器１００の使用開始時及び使用時における動作について説明する。
【００３４】
ノズル付き容器１００の使用開始時においては、図３に示すように吐出部１４が封止された状態の容器本体部２に対して、図６に示すような取付完了状態にあるノズル３及びキャップ４がねじ込まれる。このとき、吐出部１４のネジ部１４ａ（図３参照）に対してノズル３のネジ部３１（図６参照）がねじ込まれる。ノズル３がある程度までねじ込まれ、ノズル３が吐出部１４に対して取付完了状態となる直前では、図１１（ａ）に示す状態となる。このとき、第１の爪部５０が支持部５１に支持されながら軸線方向へ弾性移動し前壁部１８に接触した状態にて、方向Ｒ１側へ移動する。一方、第２の爪部６０は、前壁部１８から離間した状態にある。ノズル３が吐出部１４に対して取付完了状態となると、図１１（ｂ）に示す状態となる。このとき、第１の爪部５０は弾性移動が解除されて、元の形状に戻り、受容部２０の内部に受容される。また、第２の爪部６０は内壁部２０ａ，２０ｂから周方向へ離間した位置にて、一部が受容部２０の内部に受容される。これにより、ノズル付き容器１００の組立が完了し、図１に示す状態となる。なお、取付完了状態でないときに、第１の爪部５０が受容部２０に受容されても、第１の爪部５０が乗上構造５０ｂを有しているため、受容部２０の内壁部２０ｂを乗り上げて、更に方向Ｒ１側へノズル３をねじ込むことが可能となる。
【００３５】
ここで、取付完了状態にあるにも関わらず、使用者が更にノズル３を吐出部にねじ込もうとすると、図１１（ｃ）に示す状態となる。このとき、第２の爪部６０が軸線方向における受容部２０側へ更に入りこむと共に、係合構造６０ａが受容部２０の方向Ｒ１側の内壁部２０ｂと干渉する。これによって、キャップ４と共にノズル３が更にねじ込まれることで、吐出部１４がダメージを受けることを回避することができる。
【００３６】
ノズル付き容器１００の使用時においては、図２に示すように、キャップ４を外してノズル３から流動体を排出する。使用が終了すると、キャップ４をノズル３にねじ込む。ここで、流動体が固化することでキャップ４がノズル３に固定されてしまう場合がある。この場合、キャップ４を外すために方向Ｒ２へ回転させると、キャップ４と共にノズル３が回転する場合がある。この場合、図１１（ｄ）に示す状態となる。このとき、第１の爪部５０の係合構造５０ａが受容部２０の周方向における方向Ｒ２側の内壁部２０ａと係合する。これにより、ノズル３の方向Ｒ２側への移動は停止し、キャップ４のみが方向Ｒ２側へ移動する。従って、キャップ４とノズル３の供回りが防止される。
【００３７】
なお、図１１（ａ）に示すように、キャップ４の第２の爪部６０が受容部２０の方向Ｒ２側の内壁部２０ａ付近に位置する状態では、第２の爪部６０は受容部２０内に受容されず、方向Ｒ１側へ移動することで図１１（ｃ）に示すように、第２の爪部６０が受容部２０の内壁部２０ｂまで到達したら、第２の爪部６０は受容部２０内に収容される。このような関係を満たすためには、第２の爪部６０が受容部２０の周方向における長さ分だけ方向Ｒ１へ移動したときに、第２の爪部６０が受容部２０に収容される分だけ容器本体部２側へ沈み込む必要がある。
【００３８】
次に、本実施形態に係るノズル付き容器１００の作用・効果について説明する。
【００３９】
本実施形態に係るノズル付き容器１００では、ノズル３は、軸線方向における容器本体部２側へ突出する第１の爪部５０を備え、容器本体部２には、第１の爪部５０を受容する受容部２０が形成されている。ここで、第１の爪部５０は、ノズル３の軸線方向に弾性移動可能であるため、周方向における方向Ｒ１側へノズル３を吐出部１４にねじ込んでいるときに第１の爪部５０が容器本体部２と接触しても、第１の爪部５０が弾性移動することにより、容器本体部２と干渉することなく、ノズル３のねじ込みが可能となる。そして、第１の爪部５０が受容部２０の位置まで到達すると、第１の爪部５０が元の状態に戻り、受容部２０に受容される。このとき、第１の爪部５０の周方向における方向Ｒ２側の端部は、受容部２０の周方向における方向Ｒ２側の内壁部２０ａと係合する係合構造５０ａを有する。従って、キャップ４の取り外し時に当該キャップ４を周方向における方向Ｒ２側へ回転させたとき、ノズル３がキャップ４と共に方向Ｒ２側へ移動しようとする場合であっても、第１の爪部５０の周方向における方向Ｒ２側の端部の係合構造５０ａが、受容部２０の周方向における方向Ｒ２側の内壁部２０ａと係合する。これにより、ノズル３の回転が停止し、キャップ４のみが他方側へ移動する。以上によって、キャップ４と共にノズル３が供回りすることを抑制できる。
【００４０】
また、ノズル付き容器１００において、ノズル３は、軸線方向における容器本体部２側において、周方向に延びて第１の爪部５０を支持する支持部５１を備え、支持部５１の周方向における一端部はノズル３に固定される固定端５１ａとして構成され、他端部はノズル３から離間する自由端５１ｂとして構成され、第１の爪部５０は支持部５１の自由端５１ｂ側に形成されていている。このような支持部５１を採用することで、支持部が径方向へ延びる場合に比して、支持部５１を長くすることができるため、第１の爪部５０の軸線方向への弾性移動のストロークを確保しやすくなる。
【００４１】
また、ノズル付き容器１００において、支持部５１の自由端５１ｂは、周方向における方向Ｒ１側に配置され、支持部５１の固定端５１ａは、周方向における方向Ｒ２側に配置されている。これにより、図１１（ｄ）に示すように、第１の爪部５０の係合構造５０ａが内壁部２０ａと係合したときは、支持部５１は、固定端５１ａ側から自由端５１ｂ側の第１の爪部５０を引っ張るように支持する。これによって、座屈方向に支持する場合に比して、支持部５１は強固に第１の爪部５０を支持することができる。
【００４２】
また、ノズル付き容器１００において、ノズル３に対して周方向における方向Ｒ１側へねじ込まれることで、ノズル３に取り付けられるキャップ４を更に備え、キャップ４は、軸線方向における容器本体部２側に突出する第２の爪部６０を備え、第２の爪部６０は、受容部２０の周方向における方向Ｒ１側の内壁部２０ｂと干渉することで、キャップ４の回転を規制する。これにより、キャップ４の第２の爪部６０が受容部２０の内壁部２０ｂと干渉することで、キャップ４のねじ込み過ぎを防止できる。
【００４３】
また、ノズル付き容器１００において、キャップ４がノズル３に対して取付完了状態にある場合、ノズル３の第１の爪部５０とキャップ４の第２の爪部６０とは、径方向において互いに異なる位置に配置されている。これにより、第１の爪部５０と第２の爪部６０は互いに干渉することなく周方向に移動できる。
【００４４】
また、ノズル付き容器１００において、流動体を収容する容器本体部２と、容器本体部２の吐出部１４に対して周方向における方向Ｒ１側へねじ込まれることで吐出部１４に取り付けられるノズル３と、ノズル３に対して周方向における方向Ｒ１へねじ込むことで、ノズル３に取り付けられるキャップ４と、を備えるノズル付き容器１００であって、ノズル３は、軸線方向における容器本体部２側へ突出する第１の爪部５０を備え、キャップ４は、軸線方向における容器本体部２側へ突出する第２の爪部６０を備え、容器本体部２には、第１の爪部５０及び第２の爪部６０を受容する受容部２０が形成される。このような構成によれば、第２の爪部６０が受容部２０と干渉することで、キャップ４がねじ込まれ過ぎることを防止できる。また、第１の爪部５０が受容部２０と干渉することで、キャップ４とノズル３の供回りを防止できる。
【００４５】
本発明は、上述の実施形態に限定されない。
【００４６】
例えば、上述の実施形態では、第１の爪部と第２の爪部を両方有いていたが、少なくとも第１の爪部があればよく、第２の爪部を省略してもよい。
【００４７】
また、第１の爪部を支持する支持部は、周方向ではなく、径方向に延びることによって、第１の爪部を弾性移動させてよい。また、支持部が弾性部材で構成されることで、第１の爪部を弾性移動させてもよい。また、第１の爪部自体が弾性部材で構成されることで、弾性移動（その場で収縮することも、ここでは弾性移動に含まれるものとする）してもよい。
【符号の説明】
【００４８】
２…容器本体部、３…ノズル、４…キャップ、１４…吐出部、２０…受容部、５０…第１の爪部、５０ａ…係合構造、５１…支持部、６０…第２の爪部、１００…ノズル付き容器。
【図１】
2017214105.tif 000003
【図２】
2017214105.tif 000004
【図３】
2017214105.tif 000005
【図４】
2017214105.tif 000006
【図５】
2017214105.tif 000007
【図６】
2017214105.tif 000008
【図７】
2017214105.tif 000009
【図８】
2017214105.tif 000010
【図９】
2017214105.tif 000011
【図１０】
2017214105.tif 000012
【図１１】
2017214105.tif 000013